(57)【要約】      （修正有）【課題】路盤上方に目地砂を挟んで配置される通気穴付きブロックを用いたブロック舗装において、地表面の冷却効果を安定させる。【解決手段】通気穴付きブロック１００は、水を貯水するための貯水部を内部に有する貯水箱２と、該貯水箱２の上面の全部またはその一部を覆うようにして配置され、該貯水箱と一体成形されて平板形状をなし全部またはその一部が保水性または導水性を有するブロック部材３と、該貯水箱２または該ブロック部材３の上面から少なくとも該貯水箱の内部の貯水部の上端に達するまで貫通した一つ以上の通気穴４と、該貯水箱２の内部の貯水部２（ａ）と該ブロック部材３の側方外部との間で水を移動させる導水性を有する導水性部材５とを有する。【選択図】図２
2010150789.tif 000002
【特許請求の範囲】
【請求項１】
路盤上方に目地砂を挟んで配置される通気穴付きブロックにおいて、
水を貯水するための貯水部を内部に有する貯水箱と、
該貯水箱の上面の全部またはその一部を覆うようにして配置され、該貯水箱と一体成形されて平板形状をなし全部またはその一部が保水性または導水性を有するブロック部材と、
該貯水箱または該ブロック部材の上面から少なくとも該貯水箱の内部の貯水部の上端に達するまで貫通した一つ以上の通気穴と、
該貯水箱の内部の貯水部と該ブロック部材の側方外部との間で水を移動させる導水性を有する導水性部材と、
を有することを特徴とする通気穴付きブロック。
【請求項２】
路盤上方に目地砂を挟んで配置される通気穴付きブロックにおいて、
水を貯水するための貯水部を内部に有する多孔質ブロックと、
該多孔質ブロックの上面の全部またはその一部を覆うようにして配置され、該多孔質ブロックと一体成形されて平板形状をなし全部またはその一部が保水性または導水性を有するブロック部材と、
該多孔質ブロックまたは該ブロック部材の上面から少なくとも該貯水箱の内部の貯水部の上端に達するまで貫通した一つ以上の通気穴と、
を有することを特徴とする通気穴付きブロック。
【請求項３】
路盤上方に目地砂を挟んで配置される通気穴付きブロックにおいて、
水を受けるための開口部を有し内部に貯水空間を有する貯水トレーと、
該貯水トレーの前記開口部及び側面の全部またはその一部とを覆う貯水トレー保護体と、
該貯水トレー保護体の上面の全部またはその一部を覆うようにして配置され、該貯水トレー保護体と一体成形されて平板形状をなし全部またはその一部が保水性または導水性を有するブロック部材と、
該貯水トレー保護体または該ブロック部材の上面から該貯水トレーの内部の貯水空間に達するまで貫通した一つ以上の通気穴と、
該貯水トレーの内部の貯水空間と該ブロック部材の側方外部との間で水を移動させる導水性を有する導水性部材と、
を有することを特徴とする通気穴付きブロック。
【請求項４】
路盤上方に平面状に敷き詰められる複数個の請求項１〜請求項３いずれかに記載の通気穴付きブロックと、
該複数個の通気穴付きブロックの間隙に充填される保水性、透水性及び揚水性を備えた目地砂であってかつ該目地砂の粒度のピークとなるふるいの呼び寸法が４２５μｍ以下にありかつ該目地砂の粒度のピークの重量比が３０％以上でありかつ該目地砂の３ふるいの重量比が７０％以上となるふるいの呼び寸法が２１２〜４２５μｍ以下である目地砂と、
を有することを特徴とする潅水構造体。
【発明の詳細な説明】
【技術分野】
【０００１】
本発明は、例えば、歩道等の道路やビルの屋上あるいは公園内等に布設されるブロック舗装に関するものである。
【背景技術】
【０００２】
今日、都市部の歩道等の道路やビルの屋上、あるいは公園内の一部は、通常、アスファ
ルトやコンクリートで固められている。そのため気温が高く、照り返しのきつい夏季の日
中、そのような場所の温度上昇は周囲と比較して一段と激しい。このような環境下において歩道を歩いたり、ビルの屋上等で過ごしたりすることはとても厳しい状況下にある。特に温暖化現象が顕著になってきた昨今においては、日中のみならず夜間においても、この熱がアスファルトやビルの屋上から放熱されて、いわゆるヒートアイランド現象を引き起こす大きな要因になっている。
【０００３】
このヒートアイランド現象等を緩和するために、道路の脇に植樹したり、ビルの屋上に芝生や木を植えたり、あるいは種々の草花を植える試みも成されている。しかしながらそれだけでは十分でなく、さらなる工夫が求められている。
【０００４】
この一環として、特許文献１や特許文献２にあるように保水性を有する保水性舗装ブロック本体（以下単に保水性ブロックという）の下に容器状の保水タンクや保水トレーを設置した潅水構造体が提案されている。この潅水構造体の機能は、保水性ブロックを浸透して下降してきた雨水や打ち水（以下単に雨水等という）を保水タンクや保水トレーに溜めておき、外気温が高温になった時には、この雨水等を給水手段、具体的には不織布等の導水性部材を介して毛細管力により揚水し、これを保水性ブロック表面から蒸発させて、その蒸発潜熱により保水性ブロックを冷やす、というものである。すなわち、降雨時に雨水等を保水タンクや保水トレーに貯え、気温が上昇した折にはこの水で保水性ブロックを冷やしてヒートアイランド現象を緩和させよう、というものである。
【０００５】
【特許文献１】特許第２８８５０８５号公報（特開平８−８５９０７号）
【特許文献２】特開２００６−１２４９８０号公報
【発明の開示】
【発明が解決しようとする課題】
【０００６】
しかしながら特許文献１や特許文献２に開示されている舗装用の潅水構造体を実際に使
用してみると、保水性ブロックに対する冷却能力が十分でないことがわかってきた。すなわち、雨水等が保水タンクや保水トレーの貯水空間に浸透しない、また仮に、十分水が貯えられていたとしても、外気が高温になった際、貯えられている水を保水性ブロック表面に必要量揚水し、給水する機能が不十分である、ということがわかってきた。その結果、保水性ブロックの表面から蒸発する量を満たす水分量を補給することができずに、保水性ブロックに対する冷却能力が不十分になっていると推測される。
【０００７】
実際、前記特許文献１や特許文献２では、この浸透能力や揚水能力については何も開示も示唆もしていない。その結果、雨水等が保水タンクや保水トレーの貯水空間に浸透しない場合や、また仮に、保水タンクや保水トレー内に十分な貯水量が確保されていたとしても、例えば夏の高温時、導水性部材として開示されている不織布では、揚水力不足から保水性ブロック表面や目地砂表面に蒸発量に見合う水量を給水することができない場合があって、保水性ブロック等の冷却を安定して行うことができない、という問題がある。
【０００８】
前述の問題に鑑み本発明の目的は、雨水等が降った時には、地下の貯水箱または貯水トレーに十分な水を浸透させることができ、外気温が高温の場合には、貯水箱または貯水トレーに貯水した水を用いて通気穴付きブロック表面や目地砂表面に蒸発量を充足する十分な量の水を供給でき、その結果、地表面を安定して冷却できる機能を備えた通気穴付きブロックと、微粒目地砂とこの通気穴付きブロックを用いた潅水構造体、を提供することにある。
【課題を解決するための手段】
【０００９】
前記目的を達成すべく本発明の請求項１記載の通気穴付きブロックは、路盤上方に目地砂を挟んで配置される通気穴付きブロックにおいて、水を貯水するための貯水部を内部に有する貯水箱と、該貯水箱の上面の全部またはその一部を覆うようにして配置され、該貯水箱と一体成形されて平板形状をなし全部またはその一部が保水性または導水性を有するブロック部材と、該貯水箱または該ブロック部材の上面から少なくとも該貯水箱の内部の貯水部の上端に達するまで貫通した一つ以上の通気穴と、該貯水箱の内部の貯水部と該ブロック部材の側方外部との間で水を移動させる導水性を有する導水性部材と、を有することを特徴とするものである。
【００１０】
このようにしてなる本発明の請求項１記載の通気穴付きブロックによれば、貯水箱の内部の貯水部と、外気すなわち大気とが、通気穴付きブロックの上面から貯水箱の少なくとも上面まで貫通して開けられた通気穴を介して連通している。その結果、雨天時にブロック部材の保水性部位等を毛細管現象により下方に浸透する雨水等が貯水部内に溜まっていく過程で、貯水部内の空隙体積が変化しても、この貯水部内の圧力は、常に大気圧とほぼ同じ値に保持され、貯水部内の圧力がブロック部材や目地砂を毛細管現象により浸透してくる雨水等の毛細管力を上回ることがなくなる。そのため貯水箱内部の貯水部内により多量の雨水等を蓄えることが可能になる。
【００１１】
また、貯水箱内部の貯水部に貯えられた水を通気穴付きブロックの側面部等から側方外部に導水するようにしている。その結果、従来のようにブロック内の貯水箱に貯えられている水を地表面に潅水するにあたって、不織布等の給水手段とブロックとの毛細管力で地表面まで吸い上げる必要がなくなるため、導水性部材やブロック部材には高い揚水性が要求されなくて済み、貯水箱内部に貯えられている水を、より容易に、かつ確実に外部に導水でき、後述する潅水構造体が有する目地砂と、ブロック部材が有する保水性部位等と、を組み合わせて潅水経路を構築することで、通気穴付きブロックや目地砂の地表面部位への水の供給を安定して、かつ確実に行うことができる。
【００１２】
また本発明の請求項２記載の通気穴付きブロックは、路盤上方に目地砂を挟んで配置される通気穴付きブロックにおいて、水を貯水するための貯水部を内部に有する多孔質ブロックと、該多孔質ブロックの上面の全部またはその一部を覆うようにして配置され、該多孔質ブロックと一体成形されて平板形状をなし全部またはその一部が保水性または導水性を有するブロック部材と、該多孔質ブロックまたは該ブロック部材の上面から少なくとも該貯水箱の内部の貯水部の上端に達するまで貫通した一つ以上の通気穴と、を有することを特徴とするものである。
【００１３】
このようにしてなる本発明の請求項２記載の通気穴付きブロックによれば、請求項１記載の貯水箱の代わりに、多孔質ブロックを用い、多孔質ブロックの各孔部分を貯水部とすることにより、多孔質ブロック全体的に水を貯水することができ、貯水部に貯えられた水を通気穴付きブロックの側面部等から側方外部に導水するようにしている。このようにすることにより、導水性部材を使用せず、多孔質ブロック内部に貯えられている水を、より容易に、かつ確実に外部に導水でき、後述する潅水構造体が有する目地砂と、ブロック部材が有する保水性部位等と、を組み合わせて潅水経路を構築することで、通気穴付きブロックや目地砂の地表面部位への水の供給を安定して、かつ確実に行うことができる。
【００１４】
また本発明の請求項３記載の通気穴付きブロックは、路盤上方に目地砂を挟んで配置される通気穴付きブロックにおいて、水を受けるための開口部を有し内部に貯水空間を有する貯水トレーと、該貯水トレーの前記開口部及び側面の全部またはその一部とを覆う貯水トレー保護体と、該貯水トレー保護体の上面の全部またはその一部を覆うようにして配置され、該貯水トレー保護体と一体成形されて平板形状をなし全部またはその一部が保水性または導水性を有するブロック部材と、該貯水トレー保護体または該ブロック部材の上面から該貯水トレーの内部の貯水空間に達するまで貫通した一つ以上の通気穴と、該貯水トレーの内部の貯水空間と該ブロック部材の側方外部との間で水を移動させる導水性を有する導水性部材と、を有することを特徴とするものである。
【００１５】
このようにしてなる本発明の請求項３記載の通気穴付きブロックによれば、請求項１記載の構成、効果に加えて、貯水箱を貯水トレーと貯水トレー保護体とに分割して、ブロック部材と貯水トレー保護体とを一体成形するものとしている。この結果、貯水トレー内に比較的大きな貯水空間を設けて、通気穴付きブロックの貯水容積を大きくすることが可能となり、外気温が高温の場合には、通気穴付きブロック表面や目地砂表面に蒸発量を充足する水をより長く供給できるようになる。
【００１６】
また本発明の請求項４記載の潅水構造体は、路盤上方に平面状に敷き詰められる複数個の請求項１〜請求項３いずれかに記載の通気穴付きブロックと、該複数個の通気穴付きブロックの間隙に充填される保水性、透水性及び揚水性を備えた目地砂であってかつ該目地砂の粒度のピークとなるふるいの呼び寸法が４２５μｍ以下にありかつ該目地砂の粒度のピークの重量比が３０％以上でありかつ該目地砂の３ふるいの重量比が７０％以上となるふるいの呼び寸法が２１２〜４２５μｍ以下である目地砂と、を有することを特徴とするものである。
【００１７】
このようにしてなる本発明の請求項４記載の潅水構造体によれば、路盤上方に平面状に敷き詰めた前記通気穴付きブロックの間隙に、粒度が細かく、揚水性において特に優れている目地砂を充填している。この結果、貯水箱内部の貯水部または貯水トレー内部の貯水空間に貯えられた水を地表面へと揚水する際に、この目地砂が潅水構造体の揚水を行うことが可能となる。ここでいう粒度の細かい目地砂とは、具体的には６号けい砂あるいはそれよりも細かな粒度である７号けい砂、８号けい砂さらには９号けい砂のいずれかを主に指し、あるいは、これと同等の揚水性能をもつ砂のことを指す。
【００１８】
これらの細かなけい砂は毛細管力が大きく、それ故揚水性に優れているため、通気穴付きブロック内の貯水部または貯水空間から導水性部材を介して側方外部の目地砂に導水された水を、効率よく目地砂の上部の地表面付近まで揚水して、通気穴付きブロック上部のブロック部材を構成する保水性部位または導水性部位と協働して潅水用水を地表面にいきわたらせることができる。
【発明の効果】
【００１９】
以上のように本発明によれば、雨水等が降った時には、地下の貯水箱、多孔質ブロックまたは貯水トレーに十分な水を浸透させることができ、外気温が高温の場合には、貯水箱または貯水トレーに貯水した水を用いて通気穴付きブロック表面や目地砂表面に蒸発量を充足する十分な量の水を供給でき、その結果、地表面を安定して冷却できる機能を備えた通気穴付きブロックと、微粒目地砂とこの通気穴付きブロックを用いた潅水構造体を提供することができる。
【発明を実施するための最良の形態】
【００２０】
以下に図を用いて本発明の通気穴付きブロック及び潅水構造体の実施形態例を詳細に説明する。図１は本発明の通気穴付きブロック１００の第一の実施形態例を示す斜視図であり、図２（ａ）、（ｂ）は図１の通気穴付きブロック１００を、通気穴４と導水性部材５とを含むＡ−Ａ’ およびＢ−Ｂ’面で切断した概略縦断面図であり、請求項１における第一の実施形態例を示すものである。
【００２１】
これら図１〜図２に示すように、この通気穴付きブロック１００は、上方外部から下降もしくは側面から供給される水を貯水するための貯水部２（ａ）を内部に有する貯水箱２と、この貯水箱２の上面及び四方向の側面を覆って貯水箱２と一体成形されて直方体平板形状をなすブロック部材３と、通気穴付きブロック１００の上面から貯水箱２の貯水部２（ａ）のほぼ底面まで貫通した一つの通気穴４と、更に、一端が貯水箱２の貯水部２（ａ）のほぼ底面に届くように位置決めされ、他端が通気穴付きブロック１００の側面外壁に露出するように位置決めされて装着されている導水性部材５を有している。なお符号６は、上方外部から下降して導水性部材５等を導水して貯水箱２の内部に取り込まれて底に溜まった水を示している。
【００２２】
貯水箱２は、導水性部材５等を導水して貯水箱２内部に流入する雨水等を貯える貯水機能をもてばよく、図２においては、その底面及び四方向の側面を覆い遮水性を有する容器状の貯水箱枠体２（ｂ）と、この内部に配置される貯水箱保水体２（ｃ）で構成されている。
【００２３】
貯水箱保水体２（ｃ）は連通多孔質材よりなり、その空隙が貯水部２ （ａ）として機能する。貯水箱枠体２（ｂ）の材質は、ポリプロピレン等のプラスチック系や、コンクリート・セメント系を含むセラミックス系、金属系等、遮水性を有するものであれば何でもよく、成形性等を考慮して各種の材料が使用可能である。また貯水箱保水体２（ｃ）の材質は、コンクリート・セメント系を含む連通多孔質セラミックス系や連通発泡プラスチックなどが使用可能である。
【００２４】
なお、貯水箱２は、貯水箱枠体２（ｂ）のみで構成されていて良いし、貯水箱保水体２（ｃ）のみで構成されていても良い。
【００２５】
また、ブロック部材３は、貯水箱２を保護して、かつ、ブロック部材３の上面すなわち通気穴付きブロック１００の上面において、導水性部材５等を介して下方から供給された所定量の水を蒸発させるのに必要な保水性または導水性を有していればよく、図２においては、貯水箱２の上面及び四方向の側面を覆って貯水箱２と一体成形されて直方体平板形状をなすように構成されている。
【００２６】
ブロック部材３の材質は、保水性を有するコンクリート・セメント系を含む連通多孔質セラミックス系が好ましいが、その他の形態をとることも可能である。例えば、保水性部位以外または導水性部位以外の部位をポリプロピレン等のプラスチック系素材で成形して、該直方体平板形状の上面および側面上部を保水性部位として、保水性に優れたＳｉＯ２を主成分とする連通多孔質セラミックス系素材で構成してもよい。あるいは、該直方体平板形状の上面については太陽光等により超親水性を発現するＴｉＯ２よりなるセラミックス系素材で構成してかつ該直方体平板形状の側面上部については保水性に優れたＳｉＯ２を主成分とする連通多孔質セラミックス系素材で構成してもよい。尚、本発明における導水性とは、超親水性がもたらす素材表面の濡れによる導水性も含むものとする。
【００２７】
また、通気穴４は、貯水箱２内部の貯水部２（ａ）の空気圧を通気穴付きブロック１００の上方外部の空気圧、すなわち大気圧と等しくする通気性をもてばよく、図２においては、通気穴付きブロック１００の上面すなわちブロック部材３の上面から貯水箱保水体２（ｃ）のほぼ底面まで貫通して開けられている。尚、通気穴４のその他の役割として、雨水などにより、通気穴付きブロック１００の上方外部に多量の水があふれた場合には、通気穴４を介してこの水を貯水部２（ａ）に取り込む役割も担っている。
【００２８】
通気穴４の内径は、通気穴付きブロック１００の上方の大きさ縦２００ｍｍ×横１００ｍｍ程度に対して、１ｍｍ程度あれば十分である。また、通気穴４の貫通深さは、貯水箱保水体２（ｃ）の内部の空気の流動抵抗が小さい場合には、適宜、浅くすることができ、最も浅い場合、貯水部２（ａ）の上端に達するまで貫通していればよい。また、通気穴４は通気穴付きブロック１００の中央部に設けなくとも良く、通気穴４の本数は、一つの通気穴付きブロック１００に対して１本あればよいが、貯水箱保水体２（ｃ）の内部の空気の流動抵抗が大きい場合には、適宜、本数を増やせばよい。尚、通気穴４に上方からゴミなどが落下してこれを塞ぐことを防止するために、通気穴４の上部に金網等の通気性を有する蓋を設けてもよい。
【００２９】
また、導水性部材５は、貯水箱２の内部の貯水部２（ａ）と通気穴付きブロック１００の側方外部との間で水を移動させる導水性をもてばよく、図２においては、貯水箱枠体２（ｂ）の側面上端を経由して、一端が貯水箱２の内部にある貯水箱保水体２（ｃ）のほぼ底面に届くように位置決めされ、他端が通気穴付きブロック１００すなわちブロック部材３の側面外壁に露出するように位置決めされている。また更に、導水性部材５は、貯水箱２の内部で貯水箱保水体２（ｃ）の空隙がなす貯水部２（ａ）との間で導水できるように貯水箱保水体２（ｃ）と接触して装着されている。導水性部材５の材質は連通多孔質セラミックス系や、不織布等の布系が好ましい。
【００３０】
以上のようにすることで、屋外に設置した通気穴付きブロック１００の上に雨水等の水がかけられた時、ブロック部材３の保水性部位や導水性部材５を毛細管現象により導水して貯水箱２の内部の貯水部２（ａ）に溜まっていく過程で、貯水部２（ａ）内の空隙体積が変化しても、この貯水部２（ａ）内の圧力は、通気穴４により、常に大気圧とほぼ同じ値に保持されるため、貯水部２（ａ）の内圧が導水性部材５等を毛細管現象により浸透してくる雨水の毛細管力を上回ることがなくなる。そのため貯水箱２の貯水部２（ａ）内により多量の水を貯えることが可能になる。また更に、この浸透する雨水は、貯水箱枠体２（ｂ）の遮水性により、貯水箱２の内部から漏れずに貯えることが可能となる。
【００３１】
図２の構成により、貯水箱２で水を貯水し、貯水された水を導水性部材５で目地砂８に供給することによって、潅水経路を構築することで、通気穴付きブロック１００や目地砂８の地表面部位への水の供給を安定して、かつ確実に行うことができる。
【００３２】
ここで本発明の請求項１における貯水箱２について更に詳しく実施形態例を説明する。貯水箱２は、図２を例として請求項１における第一の実施形態例を前述した通り、貯水箱枠体２（ｂ）の内部に連通多孔質素材からなる貯水箱保水体２（ｃ）を充填してその空隙で貯水部２（ａ）を形成したものであってもよいが、その他の形態をとることも可能である。
【００３３】
請求項１における別の変形例では、貯水箱２は、直方体形状に成形された連通多孔質セラミックス体を貯水箱保水体２（ｃ）として、側面と底面を遮水コーティングしてこれを貯水箱枠体２（ｂ）とすることを特徴とする。
【００３４】
また更に、貯水箱２は、必ずしも遮水性の貯水箱枠体２（ｂ）をもたなくてもよい。
すなわち、請求項１における別の変形例では、上部に開口部を有するナノ細孔多孔質素材からなる容器を貯水箱枠体２（ｂ）としてこの内部に連通多孔質セラミックス体を充填してこの空隙を貯水部２（ａ）とすることを特徴とする。このとき、ナノ細孔多孔質素材の透水係数が十分に小さいものであれば、貯水箱２はほとんど水を漏らすことがなく、実用上、貯水機能をもつ貯水箱２とみなすことができる。
【００３５】
また、図３は本発明の通気穴付きブロックの請求項２における第二の実施形態例を示す概略縦断面図である。この図３に示すように、この通気穴付きブロック２００においては、ブロック部材３が、直方体形状の多孔質ブロック７の上面を保護するように一体形成されている。多孔質ブロック７は連通多孔質セラミックス体でありこの空隙を貯水部２（ａ）とする構成である。このとき、地上の降水量によっては、多孔質ブロック７は、上方外部から下降もしくは側面から供給される水を底面や側面から漏らしてしまう場合があるが、透水性が要求される場合には、このような構成であってもよく、連通多孔質セラミックス体の空隙からなる貯水部２（ａ）が所定量の水を保水する能力をもてばよい。なお符号６は、多孔質ブロック７の空隙に貯水された水を示している。
【００３６】
また、通気穴付きブロック２００は図２と同様に、通気穴４が設けられ、この貯水部２（ａ）内の圧力は、通気穴４により、常に大気圧とほぼ同じ値に保持されている。
【００３７】
図３の構成により、多孔質ブロック７を用いることによって、導水部材が不要となり、多孔質ブロック７で貯水された水が、目地砂を介してブロック部材３に供給されることによって、潅水経路を構築することで、通気穴付きブロック２００や目地砂８の地表面部位への水の供給を安定して、かつ確実に行うことができる。
【００３８】
図４は本発明の通気穴付きブロックの請求項３における第三の実施形態例を示す概略縦断面図である。この図４に示すように、この通気穴付きブロック３００は、上部に上方外部から下降してくる、もしくは側面から供給される水を受けるための開口部を有し内部に貯水空間１０を有する貯水トレー１１と、貯水トレー１１の前記開口部及び側面の全部を覆う貯水トレー保護体１２と、貯水トレー保護体１２の上面と側面とを覆うようにして貯水トレー保護体１２と一体成形されて平板形状をなし全部が保水性を有するブロック部材３と、ブロック部材３の上面から貯水トレー保護体１２の上面まで貫通した一つ以上の通気穴４と、貯水トレー１１の内部の貯水空間１０と通気穴付きブロック３００の側面外部との間で水を移動させる導水性を有する導水性部材５と、を有している。
【００３９】
ここで、貯水トレー１１は、通気穴付きブロック３００の導水性部材５等を導水して下方に浸透する雨水等を貯える貯水機能をもてばよく、上部に開口部を有する箱であり、貯水トレー１１の材質は、ポリプロピレン等のプラスチック系素材が成形性等に優れており好ましいが、該貯水トレー１１は、貯水機能を有するものであれば、セラミックス系、金属系等、各種の材料が使用可能である。
【００４０】
また貯水トレー保護体１２は、貯水トレーを外部からの荷重に対して保護してかつブロック部材３と一体成形可能なものであればよく、貯水トレー保護体１２の材質は、ポリプロピレン等のプラスチック系が成形性等に優れており好ましいが、セラミックス系、金属系等、各種の材料が使用可能である。
【００４１】
また、ブロック部材３は、貯水トレー保護体１２と一体成形されてかつ貯水トレー保護体１２と共に貯水トレー１１を保護して、かつ、ブロック部材３の上面すなわち通気穴付きブロック３００の上面において、導水性部材５等を介して下方から供給された所定量の水を蒸発させるのに必要な保水性または導水性を有していればよく、図４においては、貯水トレー保護体１２の上面及び四方向の側面を覆って貯水トレー保護体１２と一体成形されて断面略コ字型形状をなすように構成されている。ここでブロック部材３の材質は、保水性を有するコンクリート・セメント系を含む連通多孔質セラミックス系が好ましい。
【００４２】
更に、図４においては、貯水トレー１１及び貯水トレー保護体１２は、概略縦断面図で左右２個に分割されているが、これは、貯水トレー１１を外部からの荷重に対して保護するために、通気穴付きブロック３００の中央部において、ブロック部材３と貯水トレー保護体１２による支柱構造を設けたことによる。
【００４３】
通気穴４については、前述した請求項１における第一の実施形態例の説明によるが、これに加えて、貯水空間１０が図４のように一つの通気穴付きブロック３００の内部で複数に分割している場合、通気穴４の本数は一つの貯水空間１０に対して１本あればよく、すなわち、図４においては２本あればよいが、該複数に分割した貯水空間１０の気圧が等しくなるように通気穴付きブロック３００内部に連通穴もしくは通気機構を有している場合には、通気穴付きブロック一つに対して１本あればよい。
【００４４】
また、導水性部材５は、貯水トレー１１の内部の貯水空間１０とブロック部材３の側面外部との間で水を移動させる導水性をもてばよく、図４においては、貯水トレー保護体１２の側面上端を経由して、一端が貯水トレー１１の内部のほぼ底面に届くように位置決めされ、他端が通気穴付きブロック３００すなわちブロック部材３の側面外壁に露出するように位置決めされている。ここで、導水性部材５の材質は連通多孔質セラミックス系や、不織布等の布系が好ましい。
【００４５】
図４の構成により、貯水トレー１１で水を貯水し、貯水された水を導水性部材５で目地砂８に供給することによって、潅水経路を構築することで、通気穴付きブロック３００や目地砂８の地表面部位への水の供給を安定して、かつ確実に行うことができる。
【００４６】
図５は本発明の通気穴付きブロックの請求項３における第三の変形例を示す概略縦断面図である。この図５に示すように、ブロック部材３の構成として、ポリプロピレン等のプラスチック系素材でブロック部材非保水性部位３（ａ）を成形して、直方体平板形状の上面および側面上部をブロック部材保水性部位３（ｂ）として、保水性に優れたＳｉＯ２を主成分とする連通多孔質セラミックス系素材で構成してもよい。あるいは、ブロック部材保水性部位３（ｂ）の中でも特に該直方体平板形状の上面については太陽光等により超親水性を発現するＴｉＯ２よりなるセラミックス系素材で構成してもよい。
【００４７】
尚、図４や図５の実施形態例では、導水性部材５の貯水トレー保護体１２に対する貫通位置は貯水トレー保護体１２の側壁付近天井面に設置されているが、貯水トレー保護体１２の側壁から貯水トレー保護体１２を貫通するように形成してもよく、あるいは貯水トレー保護体１２が貯水トレー１１の上部しか覆っていない場合には、露出している貯水トレー１１の側面にのみ貫通位置を設置する場合もある。
【００４８】
また、貫通穴を設けずに導水性部材５を装着することもできる。その場合、貯水トレー保護体１２は貯水トレー１１の上部のみ覆い、貯水トレー１１の側面は大部分露出状態にある。そして貯水トレー保護体１２と貯水トレー１１の側壁上端部との間には導水性部材５を外部に引き出すのに必要なクリアランスが形成されていて、導水性部材５はこのクリアランスを通して貯水トレー１１の側壁上端を跨ぐように外部に引き出される。
【００４９】
尚、導水性部材５を通気穴付きブロック４００の側面外部に引き出す場合、この導水性部材５の引き出し高さは、導水性部材５の揚水可能高さの範囲内とする。すなわち、導水性部材５により貯水トレー１１内の水を容易かつ確実に通気穴付きブロック４００の外部に導水できる高さとする。それ故、使用する導水性部材５の種類に応じ、その揚水能力を考慮して導水性部材５の引き出し位置を決めればよい。
【００５０】
またブロック部材３の内部を浸透して貯水トレー保護体１２の上面に集まってきた水を効率よく貯水空間１０へと滴下させるために、貯水トレー保護体１２の天井面に取付けられ、またはこれを貫通するように集水部材９を複数本設置すると、貯水空間１０への水の取り込みがより効率的になる。集水部材９の形状としは、長い棒状体や円錐体等が考えられる。
【００５１】
尚、この際、集水部材９が貯水トレー１１や貯水トレー保護体１２の側壁を貫通するようにしてかつ一端が貯水トレー１１内部に垂下するように設定すれば、この集水部材９に導水性部材５の役割も兼用させることができ好ましい。因みに、導水性部材５による導水量や通気穴４による水の取り込み量が大きい場合には、あえて集水部材９を装着する必要はない。
【００５２】
図５の構成により、貯水トレー１１で水を貯水し、貯水された水を導水性部材５で目地砂８に供給することによって、潅水経路を構築することで、通気穴付きブロック４００や目地砂８の地表面部位への水の供給を安定して、かつ確実に行うことができる。
【００５３】
図６は本発明の図５に示す通気穴付きブロック４００を用いて潅水構造体を構成した、請求項３における潅水構造体の一実施形態例を示す概略縦断面図である。用いている符号は図５に示したものと同じものには同じ符号を付してある。
【００５４】
図６に示すように本発明の潅水構造体は、路盤１３上に図５に示した本発明の通気穴付きブロック４００を平面状に隣接させながら複数個敷き詰め、隣接する通気穴付きブロック４００同士の間隙に目地砂１４を充填したものである。
【００５５】
図６における潅水構造体にあっては、雨水等は通気穴付きブロック４００の貯水トレー１１内に貯えられており、外気が高温になった場合には、貯水トレー１１内に貯えられている水６は、導水性部材５の毛細管力により目地砂１４に供給され、次に目地砂１４により上方に揚水され、この目地砂１４に接している通気穴付きブロック４００の側面に給水される。
【００５６】
通気穴付きブロック４００の側面に給水された水は通気穴付きブロック４００内のブロック部材３を垂直方向及び水平方向に揚水または拡散し、最終的には通気穴付きブロック４００の表面から蒸発し、その際、通気穴付きブロック４００から熱を奪って通気穴付きブロック４００を冷却する。もちろん、目地砂１４の地表面露出部分からも蒸発してこれを冷却する。このようにして通気穴付きブロック４００や目地砂１４が蒸発潜熱で冷やされる。
【００５７】
ここで重要なことは、通気穴付きブロック４００や露出している目地砂１４の表面から蒸発する水の量よりも下方から揚水（供給）される水の量が多くないと、継続して通気穴付きブロック４００や目地砂１４の表面部の一連の冷却は十分に行われなくなる、ということである。
【００５８】
そのため図６に示す潅水構造体にあっては、図６に示すように目地砂１４として揚水能力に特に優れたけい砂、具体的にはその粒度のピークとなるふるいの呼び寸法が４２５μｍ以下にあり、かつ、粒度のピークの重量比が３０％以上であり、かつ、該目地砂の３ふるいの重量比が７０％以上となるふるいの呼び寸法が２１２〜４２５μｍ以下である目地砂を用いる。具体的には６号けい砂、７号けい砂、８号けい砂または９号けい砂を用いることが好ましい。
【００５９】
ここで、目地砂１４の水平断面積も揚水量に大きく影響を与えるが、貯水トレー１１内に十分な量の水が貯水されている場合において、計算によれば、目地砂１４の水平断面積が１８ｃｍ２／ｍ２あれば、夏季の日中、すなわち、約１ｋＷ／ｍ２の日射量を受けている地表面で途切れなく水を蒸発させ続けるために必要な潅水量２５０ｇ／ｈ・ｍ２（６リットル／日）を十分に確保できる、という結果が得られた。ここで通気穴付きブロック４００を通常行われている標準工法で布設すると、目地砂１４の水平断面積は１３３ｃｍ２／ｍ２以上になるため、実際には目地砂１４の水平断面積はあまり考える必要がないことが確認できているため、図６における潅水構造体にあっては、揚水高さは目地砂１４で、揚水量は導水性部材５の水平断面積を調整することで各々調整すればよいこととなる。
【００６０】
ここで水平断面積１８ｃｍ２／ｍ２とは、１ｍ２当り必要な目地砂の断面積のことをいう。そしてその値は、図７に示すように、ある設計雨量（ここでは４〜９月の半年間に６３０ｍｍの雨量とした）における給水高さ（ここでは２１０ｍｍ）と、導水性部材５の必要断面積の関係として実験により得た結果を用いた。設計雨量が変われば、給水高さ、必要断面積も異なるが、給水高さ、すなわち、貯水トレー１１の下端から地表面までの高さが２８０ｍｍまでの範囲であれば、６号けい砂の場合、必要断面積は１００ｃｍ２／ｍ２以下でよいことがわかる。
【００６１】
ここで、潅水量２５０ｇ／ｈ・ｍ２（６リットル／日）は、１ｍ２当りの必要な時間当たりの潅水量を意味し、この値は文献「国土技術政策総合研究所  プロジェクト研究報告  自然共生型流域圏・都市の再生、ISSN 1880-0114（Ｈ１７年１２月、国土交通省  国土技術政策総合研究所）」から引用した。
また標準工法で布設したときの目地砂１４の水平断面積１３３ｃｍ２／ｍ２は、３０ｃｍ角の通気穴付きブロック４００を目地幅３ｍｍとして布設した場合の断面積であり、これよりも通気穴付きブロック４００の断面積が小さくなった場合には、目地砂１４の水平断面積はこれよりも大きくなる。
【００６２】
以上から図６に示す潅水構造体において、隣接する通気穴付きブロック４００同士の間隙にそれぞれ充填する目地砂１４は、例えば６号〜９号けい砂であれば揚水力としては十分であることが図７から確認できた。
【００６３】
また導水性部材５についても水平断面積を調整する必要がある。例えば布を用いた場合、通気穴付きブロック４００の高さがせいぜい１５０ｍｍであることを考慮すると、この布製の導水性部材５に求められる給水高さは最大１５０ｍｍ程度である。このとき、図８のａ（布）に示す布製の導水性部材５を使用すれば、必要断面積は３０ｃｍ２／ｍ２となる。いま１ｍ２に２０枚の通気穴付きブロック４００を布設する場合を考えると、通気穴付きブロック１枚当りの導水性部材５の必要断面積は約１．５ｃｍ２となり、これは０．１ｃｍ厚の布１５ｃｍに相当し、これを設置することで、地表面からの蒸発量を充足するのに必要な水を揚水することが可能となる。
【００６４】
図６に示す潅水構造体にあっては、通気穴付きブロック４００上に降った雨水等は、通気穴付きブロック４００または目地砂１４を浸透して導水性部材５に至り、導水性部材５の導水性により、貯水トレー１１の内部の貯水空間１０に導水されて貯水される。あるいは降水量が多い場合には、通気穴４から直接、貯水トレー１１の内部の貯水空間１０に集められて貯水される。
【００６５】
このように本発明の潅水構造体によれば、降水量におおよそ比例してより多くの貯水量
を確保できる。また外気温が高温になった場合には、確保されている十分な貯水量で、長
期間に亘って通気穴付きブロック４００に雨水等を安定して供給でき、その蒸発潜熱で通気穴付きブロック４００の表面部を冷却し続けることができる。
【００６６】
尚、前記実施形態例では、本発明の通気穴付きブロック４００を図６に示す潅水構造体に使用した例を示しているが、本発明の通気穴付きブロックは、一般的な保水性ブロック舗装や、屋上庭園等の潅水構造体に使用することも可能である。例えば、通気穴付きブロック４００の導水性部材５の他端に目地砂１４以外の高揚水性部材を連結または接触等させて、通気穴付きブロック４００の地表面に水を導くタイプの潅水構造体にも適用可能である。
【００６７】
以上に述べた本発明の効果を整理すると、第一の効果としては、貯水空間１０と外気とを通気穴４により連通した場合には、降雨等に際して、より容易にかつ確実に貯水空間１０内に十分な水を貯えることができるようになる。
【００６８】
本発明の第二の効果としては、貯水空間１０内に貯えた水を上方の通気穴付きブロックや地表に露出している目地砂１４へ、これら表面からの蒸発量に見合う十分な水量を供給できる点にある。
【００６９】
以上に説明したように本発明によれば、雨水等が降った時には、地下の貯水箱または貯水トレーに十分な水を浸透させることができ、外気温が高温の場合には、貯水箱または貯水トレーに貯水した水を用いて通気穴付きブロック表面や目地砂表面に蒸発量を充足する十分な量の水を供給でき、その結果、地表面を安定して冷却できる機能を備えた通気穴付きブロックと、微粒目地砂とこの通気穴付きブロックを用いた潅水構造体を提供することができる。
【図面の簡単な説明】
【００７０】
【図１】本発明の通気穴付きブロックの第一の実施形態例を示す斜視図である。
【図２】図１に示す通気穴付きブロックの概略縦断面図である。
【図３】本発明の通気穴付きブロックの第二の実施形態例を示す概略縦断面図である。
【図４】本発明の通気穴付きブロックの第三の実施形態例を示す概略縦断面図である。
【図５】本発明の通気穴付きブロックの第四の実施形態例を示す概略縦断面図である。
【図６】本発明の潅水構造体の実施形態例を示す概略縦断面図である。
【図７】けい砂の種類による給水高さとその必要断面積の関係を示すグラフである。
【図８】導水性部材の種類による給水高さとその必要断面積の関係を示すグラフである。
【符号の説明】
【００７１】
１００、２００、３００、４００  通気穴付きブロック
２  貯水箱
３  ブロック部材
３（ａ）ブロック部材非保水性部位
３（ｂ）ブロック部材保水性部位
４  通気穴
５  導水性部材
６  水
８、１４  目地砂
９  集水部材
１０  貯水空間
１１  貯水トレー
１２  貯水トレー保護体
１３  路盤
【図１】
2010150789.tif 000003
【図２】
2010150789.tif 000004
【図３】
2010150789.tif 000005
【図４】
2010150789.tif 000006
【図５】
2010150789.tif 000007
【図６】
2010150789.tif 000008
【図７】
2010150789.tif 000009
【図８】
2010150789.tif 000010